(57)【要約】【課題】第一搬送経路と第二搬送経路とが交わる交差部を埋める可動ガイド板の切替動作と、プラテンへの従動ローラの押圧力を強弱させる動作とを連動させることのできる記録装置を提供する。【解決手段】プラテン２１とこれに対向した記録ヘッド１８とを備え、記録部４２に単票紙が搬送される場合、プラテン２１への従動ローラ５８の押圧力を強めると共に、記録部４２に連続紙が搬送される場合、上記押圧力を弱める機構を備え、単票紙が搬送される第一搬送経路１００と、連続紙が搬送される第二搬送経路２００とが交わる交差部４１を、記録部４２の手前に備えた記録装置において、交差部４１には単票紙が搬送される場合と連続紙が搬送される場合とに対応して当該交差部４１に形成される空間を埋める移動可能な可動ガイド板５５を備え、この可動ガイド板５５の移動機構と上記押圧力を強弱させる機構とを連動させる連動機構を備えた。【選択図】      図２
2004223881.tif 000002
【特許請求の範囲】
【請求項１】
単票紙が搬送される第一搬送経路と、連続紙が搬送される第二搬送経路と、前記第一搬送経路と前記第二搬送経路とが交わる交差部を経て搬送された単票紙もしくは連続紙を、プラテンとで挟持して記録部へ搬送する従動ローラとを備え、単票紙が搬送される場合は前記従動ローラの前記プラテンへの押圧力を強め、連続紙が搬送される場合は前記従動ローラの前記プラテンへの押圧力を弱める機構とを備えた記録装置において、
単票紙が搬送される場合と連続紙が搬送される場合とに対応して、前記プラテン周面に対向しつつ前記交差部での搬送経路の隙間を規定するよう変位可能な可動ガイド板と、この可動ガイド板の変位に連動して前記従動ローラの押圧力を強弱させる連動機構とを備えたことを特徴とする記録装置。
【請求項２】
前記可動ガイド板は、単票紙が搬送される場合は、前記隙間を狭くする方向に変位し、連続紙が搬送される場合は、前記隙間を広くし、かつ前記従動ローラに接近する方向に変位することを特徴とする請求項１記載の記録装置。
【請求項３】
前記連動機構は、単票紙を搬送する際の可動ガイド板の変位に連動して前記従動ローラの押圧力を強め、連続紙を搬送する際の可動ガイド板の変位に連動して前記従動ローラの押圧力を弱めることを特徴とする請求項１又は２記載の記録装置。
【請求項４】
前記連動機構は、前記可動ガイド板を変位させる変位手段と、前記従動ローラを支持するレバー部材とを備え、前記変位手段と前記レバー部材とは付勢手段により連結されていることを特徴とする請求項１乃至３のいずれか一項記載の記録装置。
【請求項５】
前記可動ガイド板を変位させる手段がカム軸で構成されていることを特徴とする請求項１乃至４のいずれか一項記載の記録装置。
【請求項６】
前記第一搬送経路および前記第二搬送経路とは異なる、単票紙もしくは連続紙を搬送する第三搬送経路を備え、この第三搬送経路には駆動ローラと従動ローラとで構成する搬送ローラ対が配置され、単票紙が搬送される場合は、前記可動ガイド板の変位に連動して、前記駆動ローラへの前記従動ローラの押圧力を強め、連続紙が搬送される場合は、前記可動ガイド板の変位に連動して、前記駆動ローラへの前記従動ローラの押圧力を弱める機構を備えたことを特徴とする請求項１乃至５のいずれか一項記載の記録装置。
【請求項７】
前記記録部に単票紙が搬送される場合、連続紙が搬送される第二搬送経路を、前記可動ガイド板が塞ぐことを特徴とする請求項１乃至６のいずれか一項記載の記録装置。
【発明の詳細な説明】
【０００１】
【発明の属する技術分野】
本発明は、単票紙が搬送される第一搬送経路と、連続紙が搬送される第二搬送経路とが交わる交差部を、記録ヘッドによる記録部の手前に備えた記録装置に関する。
【０００２】
【従来の技術】
一般に、プラテンとこれに対向した記録ヘッドとを備え、記録部に単票紙が搬送される場合、プラテンへの従動ローラの押圧力を強めると共に、記録部に連続紙が搬送される場合、前記押圧力を弱める機構を備え、単票紙が搬送される第一搬送経路と、連続紙が搬送される第二搬送経路とが交わる交差部を、記録部の手前に備えた記録装置が知られている。
【０００３】
この種のものでは、第一搬送経路と第二搬送経路とが交わる交差部に、紙案内の存在しない空間が形成されるため、そこに搬送される記録用紙に紙たるみが発生し、記録ピッチに誤差が生じ、記録精度が低下するといった問題がある。これを改善するため、従来、紙経路切替用可動ガイド板を設けたものが提案されている（例えば、特許文献１参照）。
【０００４】
【特許文献１】
特開平４−３５８８６４号公報
【０００５】
【発明が解決しようとする課題】
しかし、この種のものは、紙経路切替用可動ガイド板の移動機構と、プラテンへの従動ローラの押圧力を強弱させる機構とを連動させておらず、この強弱機構は別に設けなければならないといった問題があった。
【０００６】
そこで、本発明の目的は、上述した従来の技術が有する課題を解消し、第一搬送経路と第二搬送経路とが交わる交差部を埋める可動ガイド板の切替動作と、プラテンへの従動ローラの押圧力を強弱させる動作とを連動させることのできる記録装置を提供することにある。
【０００７】
【課題を解決するための手段】
請求項１記載の発明は、単票紙が搬送される第一搬送経路と、連続紙が搬送される第二搬送経路と、前記第一搬送経路と前記第二搬送経路とが交わる交差部を経て搬送された単票紙もしくは連続紙を、プラテンとで挟持して記録部へ搬送する従動ローラとを備え、単票紙が搬送される場合は前記従動ローラの前記プラテンへの押圧力を強め、連続紙が搬送される場合は前記従動ローラの前記プラテンへの押圧力を弱める機構とを備えた記録装置において、単票紙が搬送される場合と連続紙が搬送される場合とに対応して、前記プラテン周面に対向しつつ前記交差部での搬送経路の隙間を規定するよう変位可能な可動ガイド板と、この可動ガイド板の変位に連動して前記従動ローラの押圧力を強弱させる連動機構とを備えたことを特徴とする。
【０００８】
請求項２記載の発明は、請求項１記載のものにおいて、前記可動ガイド板は、単票紙が搬送される場合は、前記隙間を狭くする方向に変位し、連続紙が搬送される場合は、前記隙間を広くし、かつ前記従動ローラに接近する方向に変位することを特徴とする。
【０００９】
請求項３記載の発明は、請求項１又は２記載のものにおいて、前記連動機構は、単票紙を搬送する際の可動ガイド板の変位に連動して前記従動ローラの押圧力を強め、連続紙を搬送する際の可動ガイド板の変位に連動して前記従動ローラの押圧力を弱めることを特徴とする。
【００１０】
請求項４記載の発明は、請求項１乃至３のいずれか一項記載のものにおいて、前記連動機構は、前記可動ガイド板を変位させる変位手段と、前記従動ローラを支持するレバー部材とを備え、前記変位手段と前記レバー部材とは付勢手段により連結されていることを特徴とする。
【００１１】
請求項５記載の発明は、請求項１乃至４のいずれか一項記載のものにおいて、可動ガイド板を変位させる手段がカム軸で構成されていることを特徴とする。
【００１２】
請求項６記載の発明は、請求項１乃至５のいずれか一項記載のものにおいて、前記第一搬送経路および前記第二搬送経路とは異なる、単票紙もしくは連続紙を搬送する第三搬送経路を備え、この第三搬送経路には駆動ローラと従動ローラとで構成する搬送ローラ対が配置され、単票紙が搬送される場合は、前記可動ガイド板の変位に連動して、前記駆動ローラへの前記従動ローラの押圧力を強め、連続紙が搬送される場合は、前記可動ガイド板の変位に連動して、前記駆動ローラへの前記従動ローラの押圧力を弱める機構を備えたことを特徴とする。
【００１３】
請求項７記載の発明は、請求項１乃至６のいずれか一項記載のものにおいて、前記記録部に単票紙が搬送される場合、連続紙が搬送される第二搬送経路を、前記可動ガイド板が塞ぐことを特徴とする。
【００１４】
【発明の実施の形態】
以下、本発明の一実施形態を、図面に基づき説明する。
【００１５】
図１及び図２は、本発明に係る記録装置の一実施形態が適用されたドットインパクトプリンタのプリンタ本体を示す。これらの図に示す記録装置としてのプリンタ１０は、記録ヘッド１８の図示しない多数の記録ワイヤを、インクリボン（不図示）を介してシートＳに打ち付けてドットを記録することにより、文字を含む画像を印刷するドットインパクトプリンタである。ここで、シートＳは、単票紙や連続紙などの普通紙の他に、葉書、封筒、ラベル紙などである。
【００１６】
上記プリンタ１０は、図２に示すように、記録装置本体としてのプリンタ本体１１と、このプリンタ本体１１にそれぞれ着脱自在に装着された、プッシュ・フロント・トラクタユニット１２Ａと、プッシュ・リア・トラクタユニット１２Ｂと、手差し用シート供給ガイド３４と、単票紙を自動搬送するカット・シート・フィーダー３５と、プリンタ本体１１の上方、下方を覆うアッパケース３６及びロアケース３７とを有して構成される。
【００１７】
上記プリンタ本体１１は、その略中央部に、円筒形状の回転自在な丸プラテン２１と、これに対向する記録ヘッド１８と、この記録ヘッド１８を支持するキャリッジ１９とを備えて構成される。
【００１８】
このキャリッジ１９は、キャリッジガイド軸２４に案内されて、プラテン２１及びキャリッジガイド軸２４の軸方向と一致する主走査方向に移動（走行）可能に設けられる。すなわち、キャリッジ駆動モータ（不図示）の正転または逆転により、キャリッジ１９は、タイミングベルトを介しキャリッジガイド軸２４に案内されて、主走査方向に走行される。
【００１９】
上記記録ヘッド１８は多数の記録ワイヤ（不図示）を備え、これらの記録ワイヤの突出方向前方にインクリボンが位置する。記録ヘッド１８は、キャリッジ１９と共に主走査方向に走行する間に、記録ワイヤを突出させてインクリボンに打ち当て、インクリボンのインクを、プラテン２１の前方周面に接し且つインクリボンの背面側に搬送されるシートＳ（連続紙または単票紙）に付着させて、このシートＳに文字を含む画像を記録する。記録ヘッド１８による記録動作は、キャリッジ１９が主走査方向を往または復走行する間に、記録ヘッド１８の記録ワイヤにより一行分の記録がなされ、この一行分の記録がなされる度に、シート搬送機構部を介して、シートＳを所定量（通常行間分）搬送させ、これらの動作を繰り返することにより実施される。
【００２０】
ところで、このプリンタ１０は、上述したように、プッシュ・フロント・トラクタユニット１２Ａと、プッシュ・リア・トラクタユニット１２Ｂと、手差し用シート供給ガイド３４と、単票紙を自動搬送するカット・シート・フィーダー３５とを備える。各手段から搬送される連続紙または単票紙は、図２に示すように、プリンタ１０略中央の交差部４１に集中し、記録ヘッド１８とプラテン２１とで構成される記録部４２で画像を記録された後、排紙ローラ４３を介して排紙口４４からプリンタ１０の外へ排出される。
【００２１】
図３は、交差部機構を示す分解斜視図である。
【００２２】
この機構５０は、図２を参照し、主としてカット・シート・フィーダー３５からの単票紙を案内する上部紙案内５１と、プッシュ・フロント・トラクタユニット１２Ａからの連続紙を案内する下部紙案内５２とを含んで構成される。図３に示すように、上部紙案内５１には凹部５１Ａが形成され、この凹部５１Ａには、プラテン２１に接する従動ローラ５３が回転自在に支持されている。下部紙案内５２には、上部紙案内５１の下側に延びる板状の延出部５２Ａが一体に形成され、この延出部５２Ａには矩形状の開口５２Ｂが形成されている。この開口５２Ｂの近傍には複写紙の層間ずれを防止する一対の補正ローラ５４Ａ，５４Ｂが上下に対向して配置されている。下の補正ローラ５４Ａは、開口５２Ｂを通じて延出部５２Ａの上に突出し、ここに突出した下の補正ローラ５４Ａに上の補正ローラ５４Ｂが延出部５２Ａの上で当接している。
【００２３】
下部紙案内５２は略λ状を呈し、三角状に突出した上部５２Ｃには、延出部５２Ａに跨るように、切り欠き溝５２Ｄが形成される。そして、切り欠き溝５２Ｄの内側には、第一レバー５５が、軸５５Ａを中心に回動自在に嵌合され、この第一レバー５５の上面には、紙案内部５５Ｂが一体的に形成される。この第一レバー５５には、図４に示すように、カム軸孔５５Ｃが形成され、図３に示すように、このカム軸孔５５Ｃと、切り欠き溝５２Ｄの溝壁５２Ｅとを貫通して、第一レバー５５を回動させるカム軸５６が設置される。上記切り欠き溝５２Ｄには、第二レバー５７が配置されている。この第二レバー５７には、一対のピン５７Ａ，５７Ｂが形成され、このピン５７Ａ，５７Ｂは、図４に示すように、第一レバー５５のピン孔５５Ｄ，５５Ｅに係合している。このピン孔５５Ｄ，５５Ｅは長孔である。第二レバー５７には、プラテン２１に接する従動ローラ５８と、搬送従動ローラ５９とが回転自在に支持され、搬送従動ローラ５９には、図２に示すように、搬送ローラ６１が接している。
【００２４】
本実施形態では、図５に示すように、カット・シート・フィーダー３５を介して単票紙が搬送される第一搬送経路１００と、図６に示すように、プッシュ・リア・トラクタユニット１２Ｂを介して連続紙が搬送される第二搬送経路２００とを備え、これら経路１００，２００が、記録部４２の手前の交差部４１で交わっている。そして、この交差部４１には、単票紙が搬送される場合と連続紙が搬送される場合とに対応して、交差部４１に形成される空間を埋め、且つプラテン周面との搬送経路の隙間を規定する移動可能な第一レバー（可動ガイド板）５５を備えて構成される。
【００２５】
また、この第一レバー５５の移動に応じて、第二レバー５７の先端に保持された従動ローラ５８のプラテン２１への押圧力を強弱させる機構を連動させる連動機構を備えて構成される。
【００２６】
図５を参照して、第一搬送経路１００に単票紙が搬送される場合、上部紙案内５１に保持される従動ローラ５３のプラテン２１への押圧力は、図示を省略したばねのばね力に従い、常に一定である。
【００２７】
ただし、第二レバー５７に保持された従動ローラ５８のプラテン２１への押圧力が強められる。この場合、図５Ｂに示すように、カム軸５６が矢印Ｏ方向に回動される。すると、第一レバー５５が、上記軸５５Ａを中心に回動し、矢印Ｐ方向に移動し、第一レバー５５と下部紙案内５２との間に張られた第一コイルばね６３がゆるみ、下部紙案内５２が矢印Ｑ方向に移動する。
【００２８】
これにより、下部紙案内５２と第二レバー５７間に張られた第二コイルばね（ばね手段）６４が伸長し、第二レバー５７が一対のピン５７Ａ，５７Ｂに支持されて、矢印Ｓ方向に揺動し、第二レバー５７の先端に保持された従動ローラ５８のプラテン２１への押圧力Ｆ１が強められる。
【００２９】
この場合、押圧力Ｆ１は、第一レバー５５と第二レバー５７間に張られた第三コイルばね６５のばね力ｆ１に、第二コイルばね６４のばね力ｆ２が加算された値（Ｆ１＝ｆ１＋ｆ２）となる。
【００３０】
上記構成では、カム軸５６が矢印Ｏ方向に回動されることにより、第一レバー５５が、上記軸５５Ａを中心に回動し、従動ローラ５８のプラテン２１への押圧力Ｆ１が強められるだけでなく、それに連動して、第一レバー５５の頭部５５Ｆが、プラテン２１と上部紙案内５１間に形成される空間を埋めるため、そこに搬送される単票紙に紙たるみが発生することがなく、記録ピッチに誤差が生じないため、記録精度を向上させることができる。
【００３１】
図６を参照して、第二搬送経路２００に連続紙が搬送される場合、上部紙案内５１に保持される従動ローラ５３のプラテン２１への押圧力は、図示を省略したばねのばね力に従い、常に一定である。
【００３２】
ただし、第二レバー５７に保持された従動ローラ５８のプラテン２１への押圧力が弱められる。この場合、図６Ｂに示すように、カム軸５６が矢印Ｔ方向に回動される。すると、第一レバー５５が、上記軸５５Ａを中心に回動し、矢印Ｕ方向に移動し、第一レバー５５と下部紙案内５２との間に張られた第一コイルばね６３が引っ張られ、下部紙案内５２が矢印Ｖ方向に移動する。
【００３３】
これにより、下部紙案内５２と第二レバー５７間に張られた第二コイルばね６４がゆるみ、第二レバー５７が一対のピン５７Ａ，５７Ｂに支持されて、矢印Ｘ方向に揺動し、第二レバー５７の先端に保持された従動ローラ５８のプラテン２１への押圧力Ｆ２（Ｆ１＞Ｆ２）が弱められる。
【００３４】
この場合、第二コイルばね６４がゆるんだ状態となるため、上記押圧力Ｆ２は、第一レバー５５と第二レバー５７間に張られた第三コイルばね６５のばね力ｆ１だけの値（Ｆ２＝ｆ１）となる。
【００３５】
上記構成では、カム軸５６が矢印Ｔ方向に回動されることにより、第一レバー５５が、上記軸５５Ａを中心に回動し、従動ローラ５８のプラテン２１への押圧力Ｆ１が弱められるだけでなく、それに連動して、第一レバー５５の紙案内部５５Ｂが下がり、この紙案内部５５Ｂと上部紙案内５１との間に経路２００が形成され、しかも、第一レバー５５の頭部５５Ｆが、従動ローラ５８に対して接近して、従動ローラ５８と第一レバー５５間に形成される空間を埋め、プラテン周面との搬送経路の隙間を規定するため、そこに搬送される連続紙に紙たるみが発生することがなく、記録ピッチに誤差が生じないため、記録精度を向上させることができる。
【００３６】
上記構成では、図５を参照して、手差し用シート供給ガイド３４からの単票紙を搬送する第三搬送経路３００を備える。
【００３７】
この第三搬送経路３００には駆動ローラ６１と従動ローラ５９とを備え、この従動ローラ５９は、第二レバー５７の後端に取り付けられている。従って、第三搬送経路３００に単票紙が搬送される場合、第二レバー５７に保持された従動ローラ５９の駆動ローラ６１への押圧力が強められる。この場合の操作は上記と同様であって、図５Ｂに示すように、カム軸５６が矢印Ｏ方向に回動される。すると、第一レバー５５が、上記軸５５Ａを中心に回動し、矢印Ｐ方向に移動し、第一レバー５５と下部紙案内５２との間に張られた第一コイルばね６３がゆるみ、下部紙案内５２が矢印Ｑ方向に移動する。
【００３８】
これにより、下部紙案内５２と第二レバー５７間に張られた第二コイルばね６４が伸長し、第二レバー５７が一対のピン５７Ａ，５７Ｂに支持されて、矢印Ｓ方向に揺動し、第二レバー５７の後端に保持された従動ローラ５９の駆動ローラ６１への押圧力Ｆ１が強められる。
【００３９】
この場合、押圧力Ｆ１は、第一レバー５５と第二レバー５７間に張られた第三コイルばね６５のばね力ｆ１に、第二コイルばね６４のばね力ｆ２が加算された値（Ｆ１＝ｆ１＋ｆ２）となる。
【００４０】
上記構成では、図６を参照して、プッシュ・フロント・トラクタユニット１２Ａからの単票紙を搬送する第四搬送経路４００を備える。
【００４１】
この第四搬送経路４００には、上述したように、駆動ローラ６１と従動ローラ５９とが設けられる。従って、プッシュ・フロント・トラクタユニット１２Ａからの単票紙を搬送する場合、従動ローラ５９の駆動ローラ６１への押圧力を弱める必要がある。この場合、図６Ｂに示すように、カム軸５６が矢印Ｔ方向に回動される。すると、第一レバー５５が、上記軸５５Ａを中心に回動し、矢印Ｕ方向に移動し、第一レバー５５と下部紙案内５２との間に張られた第一コイルばね６３が引っ張られ、下部紙案内５２が矢印Ｖ方向に移動する。
【００４２】
これにより、下部紙案内５２と第二レバー５７間に張られた第二コイルばね６４がゆるみ、第二レバー５７が一対のピン５７Ａ，５７Ｂに支持されて、矢印Ｘ方向に揺動し、第二レバー５７の後端に保持された従動ローラ５９の駆動ローラ６１への押圧力Ｆ２（Ｆ１＞Ｆ２）が弱められる。
【００４３】
この場合、第二コイルばね６４がゆるんだ状態となるため、上記押圧力Ｆ２は、第一レバー５５と第二レバー５７間に張られた第三コイルばね６５のばね力ｆ１だけの値（Ｆ２＝ｆ１）となる。
【００４４】
図７〜図１０は、別の実施形態を示す。
【００４５】
本実施形態では、記録部４２の手前の交差部４１に、交差部機構１５０を備えて構成される。この交差部機構１５０は、主としてカット・シート・フィーダー３５からの単票紙を案内する上部紙案内５１と、プッシュ・フロント・トラクタユニット１２Ａからの連続紙を案内する下部紙案内５２とを含み、これら紙案内５１，５２の間に、枢支点１５１を中心に回動自在な第三レバー１５２と、この第三レバー１５２に当接し、所定のカムプロフィルに従って、第三レバー１５２を回動させるカム軸１５３とを備えて構成される。
【００４６】
第三レバー１５２の先端には、単票紙が搬送される場合と連続紙が搬送される場合とに対応して、交差部４１に形成される空間を埋める頭部１５２Ａが一体に形成されている。また、第三レバー１５２と連動する第四レバー１５４が、上記枢支点１５１を中心に回動自在に配置され、この第四レバー１５４の先端には、プラテン２１に接する従動ローラ５８がフリー回転自在に軸支されている。第三レバー１５２は、ばね１５５により時計方向に付勢され、第四レバー１５４は、ばね１５６により時計方向に付勢されている。
【００４７】
つぎに、動作を説明する。
【００４８】
図７の状態では、カム軸１５３による回動力が、第三レバー１５２に全く付与されていない。この段階では、ばね１５５によって、第三レバー１５２が時計方向に付勢されており、この第三レバー１５２に設けた突起１５２Ｂによって、第四レバー１５４が、時計方向に押圧付勢される。この第四レバー１５４自体も、ばね１５６により時計方向に付勢されるため、第四レバー１５４の先端の従動ローラ５８は、ばね１５５のばね力と、ばね１５６のばね力との合計値に従って、プラテン２１に強く接する。
【００４９】
この場合、第一搬送経路１００を介して、カット・シート・フィーダー３５からの単票紙が記録部に搬送される。そして、第三レバー１５２の頭部１５２Ａにより、第二搬送経路２００が閉じられると共に、この頭部１５２Ａによって、上記交差部４１に形成される空間が埋められ、且つプラテン周面との搬送経路の隙間が規定されている。
【００５０】
図８〜図１０に示すように、カム軸１５３が矢印Ｘ方向に回動されると、カム軸１５３のカムプロフィルに従い、ばね１５５のばね力に抗して、第三レバー１５２が徐々に押し退けられて、反時計方向に回動される。
【００５１】
図１０の状態では、第三レバー１５２の突起１５２Ｃが、第四レバー１５４を押圧し、この第四レバー１５４が、ばね１５６のばね力に抗して、反時計方向に回動される。この段階では、第三レバー１５２の頭部１５２Ａ、並びに第四レバー１５４の先端の従動ローラ５８が、第二搬送経路２００から完全に脱出し、紙ジャム等によって搬送経路に詰まった用紙を取り除くことが可能になる。なお、図８の状態では、第一搬送経路１００を通じて単票紙が搬送される場合、従動ローラ５８が、ばね１５５，１５６のばね力に従って、プラテン２１に強く接し、図９の状態では、第二搬送経路２００を通じて連続紙が搬送される場合、従動ローラ５８が、ばね１５６のばね力に従って、プラテン２１に弱く接する。
【００５２】
以上、本発明を上記実施形態に基づいて説明したが、本発明はこれに限定されるものではない。
【００５３】
【発明の効果】
本発明では、第一搬送経路と第二搬送経路とが交わる交差部を埋める可動ガイド板の切替動作と、プラテンへの従動ローラの押圧力を強弱させる動作とを連動させることができる。
【図面の簡単な説明】
【図１】本発明に係る記録装置の一実施形態を示す斜視図である。
【図２】図１のプリンタ本体を示す側断面図である。
【図３】交差部機構を示す分解斜視図である。
【図４】可動ガイド板を示す斜視図である。
【図５】Ａ，Ｂは、単票紙を搬送する場合の交差部機構を示す図である。
【図６】Ａ，Ｂは、連続紙を搬送する場合の交差部機構を示す図である。
【図７】交差部機構の別の実施形態を示す図である。
【図８】交差部機構の別の実施形態を示す図である。
【図９】交差部機構の別の実施形態を示す図である。
【図１０】交差部機構の別の実施形態を示す図である。
【符号の説明】
１０  プリンタ（記録装置）
１８  記録ヘッド
１９  キャリッジ
２１  プラテン
１２Ａ  プッシュ・フロント・トラクタユニット
１２Ｂ  プッシュ・リア・トラクタユニット
３４  手差し用シート供給ガイド
３５  カット・シート・フィーダー
４１  交差部
４２  記録部
５１  上部紙案内
５２  下部紙案内
５３  従動ローラ
５５  第一レバー（可動ガイド板）
５６  カム軸
５７  第二レバー
５８  従動ローラ
５９  搬送従動ローラ
６１  搬送ローラ
１００  第一搬送経路
１５０  交差部機構
１５２  第三レバー
１５３  カム軸
１５４  第四レバー
１５５，１５６  ばね
２００  第二搬送経路
３００  第三搬送経路
４００  第四搬送経路
【図１】
2004223881.tif 000003
【図２】
2004223881.tif 000004
【図３】
2004223881.tif 000005
【図４】
2004223881.tif 000006
【図５】
2004223881.tif 000007
【図６】
2004223881.tif 000008
【図７】
2004223881.tif 000009
【図８】
2004223881.tif 000010
【図９】
2004223881.tif 000011
【図１０】
2004223881.tif 000012